(57)【要約】【課題】生体情報が初期ペースラインから外れてしまったとしても、無理のない生活を継続し、かつ、目標値を達成することのできる生体情報管理システムを提供する。【解決手段】対象生体の初期生体情報を取得する初期生体情報取得手段と、前記初期生体情報取得手段によって入力された前記初期生体情報に基づいて、初期ペースラインを生成する初期ペースライン生成手段と、前記ペースライン作成後の前記対象生体の経過生体情報を取得する経過生体情報取得手段と、前記経過生体情報取得手段によって取得された経過生体情報に基づいて、前記初期ペースラインを修正した修正ペースラインを生成する修正ペースライン生成手段と、を備え、前記対象生体の経過生体情報に応じたペースラインを供給する。【選択図】図４
2008220818.tif 000002
【特許請求の範囲】
【請求項１】
対象生体の初期生体情報を取得する初期生体情報取得手段と、
前記初期生体情報取得手段によって入力された前記初期生体情報に基づいて、初期ペースラインを生成する初期ペースライン生成手段と、
前記ペースライン生成後の前記対象生体の経過生体情報を取得する経過生体情報取得手段と、
前記経過生体情報取得手段によって取得された経過生体情報に基づいて、前記初期ペースラインを修正した修正ペースラインを生成する修正ペースライン生成手段と、を備え、
前記対象生体の経過生体情報に応じたペースラインを供給すること
を特徴とする生体情報管理システム。
【請求項２】
前記ペースラインは所定の幅を有し、前記修正ペースライン生成手段は、前記修正ペースラインの生成前に、前記生体情報管理システムにより管理される生体情報が、前記ペースラインの前記幅内に収まっているか否かを判定することを特徴とする請求項１に記載の生体情報管理システム。
【請求項３】
前記初期生体情報は、前記対象生体に関して入力することによって取得される入力情報と、前記対象生体について測定することによって取得される測定情報と、を含むことを特徴とする請求項１又は請求項２に記載の生体情報管理システム。
【請求項４】
前記経過生体情報は、前記対象生体に関して入力することによって取得される入力情報、及び、前記対象生体について測定することによって取得される測定情報、のうち少なくとも前記測定情報を含むことを特徴とする請求項１乃至請求項３のうち、いずれか１に記載の生体情報管理システム。
【請求項５】
前記入力情報は、前記ペースラインのタイプを選定するためのペースライン選定情報を含むことを特徴とする請求項１乃至請求項４のうち、いずれか１に記載の生体情報管理システム。
【請求項６】
前記入力情報は、前記ペースラインの管理期間情報及び目標値情報を含むことを特徴とする請求項１乃至請求項５のうち、いずれか１に記載の生体情報管理システム。
【請求項７】
前記入力情報は、前記対象生体の身長、年齢、性別、身体部位の周囲径、血圧の少なくとも一つを含むことを特徴とする請求項１乃至請求項６のうち、いずれか１に記載の生体情報管理システム。
【請求項８】
前記生体情報管理システムは、前記対象生体の体重を測定するための体重測定部を備え、前記測定情報は、前記体重測定部が測定した体重を含むことを特徴とする請求項１乃至請求項７のうち、いずれか１に記載の生体情報管理システム。
【請求項９】
前記生体情報管理システムは、前記対象生体の生体インピーダンスを測定するための電極部材を備え、前記測定情報は、体脂肪率、体水分率、筋肉量、基礎代謝量、骨量、除脂肪量、体水分量、及び内臓脂肪レベルのうちの少なくとも一つを含むことを特徴とする請求項１乃至請求項８のうち、いずれか１に記載の生体情報管理システム。
【請求項１０】
前記ペースライン生成手段及び前記修正ペースライン生成手段がそれぞれ生成した初期ペースライン及び修正ペースラインを出力する出力手段を備えることを特徴とする請求項１乃至請求項９のうち、いずれか１に記載の生体情報管理システム。
【請求項１１】
単一の筐体内に収容された生体情報管理装置を構成することを特徴とする請求項１乃至請求項１０のうち、いずれか１に記載の生体情報管理システム。
【請求項１２】
前記初期生体情報又は前記経過生体情報に対応した生体情報管理に関連した情報を提供する情報提供手段を備えることを特徴とする請求項１乃至請求項１１のうち、いずれか１に記載の生体情報管理システム。
【請求項１３】
電気通信ネットワークへの接続を可能とする接続手段と、前記接続手段を用いて接続したウエブサイトの履歴情報を記憶する履歴情報記憶手段と、前記初期生体情報又は前記経過生体情報に対応した生体情報管理に関連した情報、及び／又は該生体情報管理に関連した情報が掲載されたウエブサイトへのリンク情報を提供する情報提供手段と、を備え、前記情報提供手段は、前記履歴情報記憶手段に記憶された前記履歴情報に基づいて、前記初期生体情報に関連した情報、及び／又は前記リンク情報を提供することを特徴とする請求項１乃至請求項１１のうち、いずれか１に記載の生体情報管理システム。
【発明の詳細な説明】
【技術分野】
【０００１】
本発明は、対象生体たる使用者が所望する目標を達成するまでのペースラインを提供することのできる生体情報管理システムに関する。
【背景技術】
【０００２】
対象生体たる使用者の体調を管理するために、体重計や生体情報管理装置を用いて、体重や、体脂肪計その他の生体データが取得される。これらのデータは、その推移を管理することにより、健康回復やダイエットに利用することができる。このデータの推移は、ペースラインとして表されるものであって、生体データ及び体重の中から、使用者の体調管理に適した情報を選定して、この情報が目標値へ近づくように、時間をかけて徐々に減少又は増大する曲線である。使用者は、このペースラインに沿うように、食事や運動をコントロールすることで、目的を達成することができる。
【０００３】
【特許文献１】特開２００２−２０００８６号公報
【発明の開示】
【発明が解決しようとする課題】
【０００４】
しかしながら、従来の生体情報管理装置においては、初期に取得した情報に基づいて目標値へ向かうペースラインを生成することはできるものの、時間の経過に伴って、様々な要因によって、得られる生体情報がペースラインから外れてしまった場合に対処が難しいことが少なくない。すなわち、生体情報がペースラインから外れてしまった場合には、使用者の生体情報をペースラインに再び乗せるために、無理な食事制限や強い運動を行うことがあり、これにより却って健康を害してしまうおそれがあった。
【０００５】
そこで本発明は、生体情報が初期ペースラインから外れてしまったとしても、無理のない生活を継続でき、かつ、目標値を達成することのできる生体情報管理システムを提供することを目的とする。
【課題を解決するための手段】
【０００６】
上記課題を解決するために、本発明の生体情報管理システムにおいては、対象生体の初期生体情報を取得する初期生体情報取得手段と、前記初期生体情報取得手段によって入力された前記初期生体情報に基づいて、初期ペースラインを生成する初期ペースライン生成手段と、前記ペースライン生成後の前記対象生体の経過生体情報を取得する経過生体情報取得手段と、前記経過生体情報取得手段によって取得された経過生体情報に基づいて、前記初期ペースラインを修正した修正ペースラインを生成する修正ペースライン生成手段と、を備え、前記対象生体の経過生体情報に応じたペースラインを供給することを特徴とする。
【０００７】
また、本発明の生体情報管理システムにおいて、前記ペースラインは所定の幅を有し、前記修正ペースライン生成手段は、前記修正ペースラインの生成前に、前記生体情報管理システムにより管理される生体情報が、前記ペースラインの前記幅内に収まっているか否かを判定することを特徴とする。
【０００８】
また、本発明の生体情報管理システムにおいて、前記初期生体情報は、前記対象生体に関して入力することによって取得される入力情報と、前記対象生体について測定することによって取得される測定情報と、を含むことを特徴とする。
【０００９】
また、本発明の生体情報管理システムにおいて、前記経過生体情報は、前記対象生体に関して入力することによって取得される入力情報、及び、前記対象生体について測定することによって取得される測定情報、のうち少なくとも前記測定情報を含むことを特徴とする。
【００１０】
また、本発明の生体情報管理システムにおいて、前記入力情報は、前記ペースラインのタイプを選定するためのペースライン選定情報を含むことを特徴とする。
【００１１】
また、本発明の生体情報管理システムにおいて、前記入力情報は、前記ペースラインの管理期間情報及び目標値情報を含むことを特徴とする。
【００１２】
また、本発明の生体情報管理システムにおいて、前記入力情報は、前記対象生体の身長、年齢、性別、身体部位の周囲径、血圧の少なくとも一つを含むことを特徴とする。
【００１３】
また、本発明の生体情報管理システムにおいて、前記生体情報管理システムは、前記対象生体の体重を測定するための体重測定部を備え、前記測定情報は、前記体重測定部が測定した体重を含むことを特徴とする。
【００１４】
また、本発明の生体情報管理システムにおいて、前記生体情報管理システムは、前記対象生体の生体インピーダンスを測定するための電極部材を備え、前記測定情報は、体脂肪率、体水分率、筋肉量、基礎代謝量、骨量、除脂肪量、体水分量、及び内臓脂肪レベルのうちの少なくとも一つを含むことを特徴とする。
【００１５】
また、本発明の生体情報管理システムにおいて、前記ペースライン生成手段及び前記修正ペースライン生成手段がそれぞれ生成した初期ペースライン及び修正ペースラインを出力する出力手段を備えることを特徴とする。
【００１６】
また、本発明の生体情報管理システムにおいて、単一の筐体内に収容された生体情報管理装置を構成することを特徴とする。
【００１７】
また、本発明の生体情報管理システムにおいて、前記初期生体情報又は前記経過生体情報に対応した生体情報管理に関連した情報を提供する情報提供手段を備えることを特徴とする。
【００１８】
また、本発明の生体情報管理システムにおいて、電気通信ネットワークへの接続を可能とする接続手段と、前記接続手段を用いて接続したウエブサイトの履歴情報を記憶する履歴情報記憶手段と、前記初期生体情報又は前記経過生体情報に対応した生体情報管理に関連した情報、及び／又は該生体情報管理に関連した情報が掲載されたウエブサイトへのリンク情報を提供する情報提供手段と、を備え、前記情報提供手段は、前記履歴情報記憶手段に記憶された前記履歴情報に基づいて、前記初期生体情報に関連した情報、及び／又は前記リンク情報を提供することを特徴とする。
【発明の効果】
【００１９】
本発明によると、初期に取得した生体情報に基づいて初期ペースラインを生成することができるだけでなく、初期ペースライン生成後の生体情報の経過情報に基づいて初期ペースラインを修正した修正ペースラインを生成することができ、これにより、生体情報が初期ペースラインから外れてしまったとしても、無理のない生活を継続しつつ目標値を達成することができる。
【発明を実施するための最良の形態】
【００２０】
以下、本発明の第１実施形態に係る生体情報管理システムについて、図１及び図２を参照しつつ詳しく説明する。図１は、第１実施形態に係る生体情報管理システムの構成を示すブロック図、図２は、第１実施形態に係る生体情報管理システムに用いられる生体測定装置を示す外観斜視図である。なお、図２は、後述の第３実施形態に係る生体情報管理システムの生体情報管理装置を示す外観斜視図でもある。
【００２１】
図１に示すように、本実施形態に係る生体情報管理システム５０は、生体測定装置１と、外部機器７０（例えばパーソナルコンピュータ）と、サーバ９０と、を有する。以下に、各構成要素の詳細な構成について説明する。
【００２２】
図２に示すように、生体測定装置１は、表示部２１、操作部２２、フットスイッチ２３、ロードセル６０（体重測定部）、及び電極部材３０を有する。
【００２３】
図２に示すように、操作部２２（初期生体情報取得手段及び経過生体情報取得手段）は、生体測定装置１のカバー部材２０上に、複数のスイッチからなるフットスイッチ２３（初期生体情報取得手段及び経過生体情報取得手段）はカバー部材２０の側面に、それぞれ配置されている。また、カバー部材２０上には、表示部２１、及び、４枚の電極３１ａ、３１ｂ、３２ａ、３２ｂからなる電極部材３０が配置されている。生体測定装置１内には、電極部材３０に対応する位置にロードセル６０（体重測定部）が配置されている。カバー部材２０は樹脂（例えば、ＡＢＳ樹脂（アクリロニトリル／ブタジエン／スチレン共重合体））を成形してなる略矩形板状部材であり、表示部２１としては、例えば、液晶を用いたものを採用する。操作部２２としては、例えば、ボタン式、タッチセンサ式、ダイヤル式などを用いることができる。
【００２４】
図１に示すように、表示部２１、操作部２２、フットスイッチ２３、電極部材３０、及びロードセル６０（体重測定部）は、制御部（制御回路）１２に接続されている。制御部１２には、電源部（電源回路）１３、及び記憶部（例えば、ＲＡＭ（Ｒａｎｄｏｍ  Ａｃｃｅｓｓ  Ｍｅｍｏｒｙ））１４が接続されている。
【００２５】
本発明による生体情報管理の対象となる使用者（対象生体）は、操作部２２、フットスイッチ２３を操作することにより、自身に関する生体情報（初期生体情報、経過生体情報）を随時入力して記憶部１４に記憶させることができるようになっている。また、操作した操作部２２又はフットスイッチ２３に対応したデータを記憶部１４から読み出して表示部２１に表示させることができ、また、記憶部１４にあらかじめ記憶させた測定モードの選択や、測定結果を順次表示させることができる。表示部２１には、入力結果及び測定結果のほか、これらに基づいて算出されるペースライン（後述）を表示することもできる。なお、制御部１２及び記憶部１４は、図１以外では図示を省略しているが、生体測定装置１の任意の位置、例えば、カバー部材２０の下面や、又は、表示部２１若しくは操作部２２と一体化して、適宜配置することができる。
【００２６】
電極部材３０（初期生体情報取得手段及び経過生体情報取得手段）は、通電電極３１ａ、３２ａ、及び測定電極３１ｂ、３２ｂを備えるものであって、接触した生体（使用者）の生体データの測定に用いられる。通電電極３１ａと測定電極３１ｂ、及び、通電電極３２ａと測定電極３２ｂは、それぞれ対をなすように配置されており、測定は、使用者が左足を通電電極３１ａ及び測定電極３１ｂの対の上に載せ、さらに右足を通電電極３２ａ及び測定電極３２ｂの対の上に載せることにより開始されるようになっている。
【００２７】
ロードセル６０（初期生体情報取得手段及び経過生体情報取得手段）は、加重により歪みを生じる金属製の起歪体と、起歪体上に配置される歪み測定部（歪みゲージ）とを備え、撓みばり状の歪みセンサを構成する。ロードセル６０は、生体情報管理装置１０内であって、電極部材３０に対応する位置に配置されており、使用者がカバー部材２０上に載ったときに、その負荷が起歪体に伝達されるようになっている。
【００２８】
ここで、生体情報とは、管理の対象となる使用者（対象生体）に関する情報であって、操作部２２、フットスイッチ２３、又は後述のキーボード７１を用いた入力操作によって取得する生体情報（入力情報）と、電極部材３０及びロードセル６０を用いた測定動作によって取得する生体情報（測定情報）と、を含む。入力情報及び測定情報は、初期ペースラインを生成するために初めに取得される情報（初期生体情報）と、管理開始後の対象生体の状態を示すとともに初期ペースラインを修正した修正ペースラインを生成するために取得される情報（経過生体情報）と、に大別することができる。
【００２９】
入力情報としては、例えば、身長、年齢、性別、身体部位の周囲径（例えば、ウエスト、上腕、大腿）、血圧、食事内容のほか、作成するペースラインのタイプを選定（クラス分け）するためのペースライン選定情報や、ペースラインの対象となる測定値の種類と目標値がある。ペースライン選定情報は、管理の目的及び管理期間を選定するための情報であって、管理の目的としては、例えば、減量、痩身（ダイエット）、体脂肪や内臓脂肪の減少、体力の回復、出産後の体調維持、体力の増強、運動選手として必要な特定の項目（例えば筋力や体重）の向上、が挙げられる。ペースラインの対象となる測定値の種類は、ペースライン選定情報によっては、その設定作業によって自動的に決まることもあるが、そうでない場合は、例えば体重を指定する。目標値については、入力することで設定することができるほか、例えば体力回復が目的である場合では、対象生体の身長、性別、年齢その他の情報によって定まる理想値を目標値として自動的に設定することもできるようになっている。このようなペースライン選定情報によって、ペースラインのタイプが選定されるが、ペースラインのタイプとしては、例えば、減量若しくは痩身（ダイエット）の目的のために漸次体重を減らすように構成されたもの、体脂肪や内臓脂肪の減少の目的のために漸次体脂肪や内臓脂肪を減らすように構成されたもの等がある。さらには、例えば、前記漸次体重を減らすように設定されたペースラインであっても、もともとかなりの肥満体の使用者が理想体重まで減量することが目的である場合には傾斜を強く設定されたペースライン、一方、やや肥満気味の使用者が理想体重まで減量することが目的である場合には傾斜を緩やかに設定されたペースライン、というように、使用者ごとに適切なペースラインが選定可能なように、種々のペースラインのタイプが存在する。
【００３０】
測定情報としては、例えば、電極部材３０によって測定する生体インピーダンスや、ロードセル６０によって測定する体重がある。これらの情報により、例えば、体脂肪率、体水分率、筋肉量、基礎代謝量、骨量、除脂肪量、体水分量、及び内臓脂肪レベルを算出することができ、これら算出された数値も測定情報に含まれるものである。
【００３１】
入力情報は、管理開始時に入力した後は、管理期間を通じて変化しないものが多いため、基本的には初期生体情報として用いられるが、もちろん管理開始後に修正、変更その他の目的で、経過生体情報として改めて入力することもできる。これに対して、測定情報は、基本的には、管理開始時の数値と、所定時間経過時の数値と、を比較するものであるため、初期生体情報及び経過生体情報のいずれにも該当する。
【００３２】
次に、外部機器７０は、例えば本発明による生体情報管理の対象となる使用者（対象生体）が所有するパーソナルコンピュータであればよく、生体測定装置１の制御部１２に接続されたＣＰＵ７７、入力手段としてのキーボード７１、出力手段としてのモニタ７２、メモリ７３、及び、接続手段としてのモデム７４、を有する。
【００３３】
外部機器７０は、生体測定装置１の操作部２２及びフットスイッチ２３を用いた入力操作によって取得する入力情報や、生体測定装置１による測定で得られた測定情報を、生体測定装置１から伝達可能な構成とされており、例えば、インターフェース（図に示さず）を介してＲＵＮケーブルによって常時接続、或いは必要に応じて接続されてもよいし、ＵＳＢ（Ｕｎｉｖｅｒｓａｌ  Ｓｅｒｉａｌ  Ｂｕｓ）接続型の記憶媒体によって伝達可能な構成とされていてもよい。
【００３４】
キーボード７１、モニタ７２、メモリ７３、及びモデム７４は、ＣＰＵ７７によって動作を制御されている。使用者（対象生体）は、操作部２２、フットスイッチ２３に代えて、又は、操作部２２、フットスイッチ２３とともに、キーボード７１を用いて生体情報を入力することができる。入力結果は、表示部２１に代えて、又は表示部２１とともに、モニタ７２に表示される。モニタ７２には、（１）電極部材３０による測定電圧、測定電圧から算出される生体インピーダンス、及び、生体データ、（２）ロードセル６０によって測定された体重、並びに、（３）演算回路９５によって算出される初期ペースライン及び修正ペースライン（後述）などが表示される。さらに、入力結果は、記憶部１４に代えて、又は、記憶部１４とともに、メモリ７３に記憶される。
【００３５】
本実施形態において入力手段はキーボード７１を示したが、キーボードに加えて、マウスその他の入力機器を用いることもできる。モニタ７２としては、例えば、ＣＲＴ（Ｃａｔｈｏｄｅ  Ｒａｙ  Ｔｕｂｅ）、液晶ディスプレイその他の表示機器のほか、プリンタその他の印刷機器を用いることができる。メモリ７３は、例えばＲＡＭ（Ｒａｎｄｏｍ  Ａｃｃｅｓｓ  Ｍｅｍｏｒｙ）を使用する。
【００３６】
また、使用者が閲覧したウエブサイトの履歴情報が、メモリ７３（履歴情報記憶手段）に記憶されるようになっている。
【００３７】
外部機器７０は、外部と通信が可能な手段としてのインターネット網８０を介して、サーバ９０と接続されている。サーバ９０は、サーバメモリ９１、演算回路９５、及び制御部９７を備える。サーバメモリ９１及び演算回路９５は、制御部９７によって動作を制御されている。なお、外部と通信が可能な手段として、本実施形態ではインターネット網８０を示したが、本発明はこれに限られず、携帯電話通信網その他の電気通信ネットワークを採択することが可能である。
【００３８】
サーバ９０は、操作部２２、フットスイッチ２３、キーボード７１を用いた入力操作、或いは、電極部材３０及びロードセル６０を用いた測定動作、によって取得された生体情報（初期生体情報及び経過生体情報）を、外部機器７０からインターネット網８０を介して受け取ることができるようになっており、その生体情報をサーバメモリ９１に格納する。さらに、受け取った生体情報に基づいて、演算回路９５は、サーバメモリ９１にあらかじめ記憶されたプログラムに従って、ペースライン（初期ペースライン、修正ペースライン）を生成することができるようになっている。ここで生成されたペースラインに関する情報が、インターネット網８０を介して外部機器７０に送られ、外部機器７０のモニタ７２や、生体測定装置１の表示部に表示することができる。
【００３９】
また、サーバメモリ９１には、生体情報管理に関連した情報が、生体情報とペースラインとの関係に対応づけられたテーブルとして、記憶されている。制御部９７は、生体情報管理の経過に応じて、例えば、ある経過時間における生体情報と初期ペースライン（修正ペースライン）との関係に応じて、その情報を適宜抽出して、外部機器７０に送信し、外部機器７０では、モニタ７２上に、生体情報管理に関連した情報を表示させることができるようになっている。この生体情報管理に関連した情報の例としては、ペースラインに沿って管理するために必要な食事の例や運動量の目安（運動の種類とその具体的内容）、睡眠時間その他の健康情報が挙げられる。この生体情報管理に関連した情報は、初期ペースラインが修正されて修正ペースラインが生成された場合は、修正ペースラインに沿ったものであることが好ましく、使用者の目的に沿って使用者ごとに適切な情報が提供されるようにする。そのために使用者ごとに、何時如何なる情報を提供したのかを、その都度サーバメモリ９１に記憶させるとともに、その過去のデータを反映させながら、可能な限り同一情報が同一使用者に対して提供されることがなく、提供される情報の順番も順を追った適切なものとなるように、情報が抽出されるようになっている。
【００４０】
さらに、サーバメモリ９１には、生体情報管理に関連した情報が開示されたウエブサイトへのリンク情報が記憶されており、制御部９７（情報提供手段）は、生体情報管理の目的や、生体情報とペースラインとの関係に応じて、適当なウエブサイトのリンク情報を選択的にインターネット網８０を介して外部機器７０に送ることができ、外部機器７０ではそれをモニタ７２に表示させることができるようになっている。このウエブサイトは、サーバ９０のサーバメモリ９１に記憶されたものが好ましいが、それ以外のものであってもよい。
【００４１】
また、使用者が閲覧したウエブサイトの履歴情報が、サーバメモリ９１（履歴情報記憶手段）に記憶されるようになっている。制御部９７は、使用者のウエブサイトの閲覧状況を監視・分析して、その使用者が関心を持っている生体情報管理に関連した情報を見出して、閲覧情報に応じて生体情報管理に関連した情報や、関連するウエブサイトのリンク情報を外部機器７０に送り、その生体情報管理に関連した情報や関連するウエブサイトのリンク情報は、外部機器７０がモニタ７２に表示することによって提供される。例えば、使用者が、痩身（ダイエット）を目的として本発明による生体情報管理システム５０を利用し始め、それに伴って痩身（ダイエット）に関連した情報が掲載されたウエブサイトを頻繁に閲覧していたところ、管理期間が経過するに伴って、体重の減少がみられるようになった時期から、その使用者が筋力向上に関連した情報が掲載されたウエブサイトを頻繁に閲覧するようになった場合において、これらのウエブサイトの履歴情報をサーバ９０において分析し、その使用者の関心が痩身（ダイエット）から筋力向上に変化したものと判断して、筋力向上に関連した情報を提供するようにする。なお、使用者が閲覧できるウエブサイトがサーバメモリ９１に保存されたウエブサイトに限定することができると、あらかじめ、履歴情報に対応した生体情報管理に関連した情報を用意しやすいため好ましい。
【００４２】
以上のように構成された生体情報管理システム５０の、生体測定装置１により生体情報を測定するため、使用者が、左足裏を通電電極３１ａ及び測定電極３１ｂに、右足裏を通電電極３２ａ及び測定電極３２ｂに、それぞれ接触させつつカバー部材２０上に立つと、制御部１２による制御のもと、通電電極３１ａ、３２ａを介して、電源部１３から左右の足裏に交流電流が供給される。供給された電流は、測定電極３１ｂ、３２ｂを介して、左右の足裏間の電圧（電位差）として、測定される。制御部１２においては、記憶部１４にあらかじめ保存されたプログラムにしたがって、供給された電流値と測定された電圧値とから、使用者の両足間の生体インピーダンス（生体電気インピーダンス）（初期生体情報及び経過生体情報）を算出する。また、使用者がカバー部材２０上に載ると、その負荷によりロードセル６０は下方に撓み、この撓みによる抵抗値の変化に基づいて、制御部１２において、記憶部１４にあらかじめ保存された算出プログラムによって、初期生体情報及び経過生体情報としての使用者の体重が算出される。
【００４３】
次に、生体情報管理システム５０の演算回路９５によるペースラインの生成の一例について説明する。ここでは、通常の期間で体重を目標値まで減量する場合の例を、図３を参照しつつ説明する。図３は、横軸に経過時間Ｔ、縦軸に体重Ｗ（単位：ｋｇ）をとった初期ペースラインを示すグラフであって、初期ペースラインはあらかじめ定めた幅をもって表示される。なお、図３では、簡略化のために経過時間Ｔの単位を月としている。
【００４４】
まず、初期ペースラインの生成は初期生体情報に基づいて、次の式１によって生成する。
Ｗ＝Ｗｉ＋Ｃ１・Ｔ  ・・・（式１）
ここで、Ｗ（単位：ｋｇ）は管理期間中の体重（ペース体重）、Ｗｉ（単位：ｋｇ）は目標体重（理想体重）、Ｃ１は体重管理係数、Ｔは経過時間（単位：秒）である。図３の例では、初期体重Ｗｆは９０ｋｇ、目標体重Ｗｉは６５ｋｇであり、管理開始から目標体重Ｗｉに到達するまでの期間である３０ヶ月が管理期間（減量期間）Ｔｍ（単位：秒）となる。
【００４５】
式１のうち、体重管理係数Ｃ１は、以下の式２で表される変数である。
Ｃ１＝ａ［［（Ｗｆ−Ｗｉ）／Ｔｍ］・（Ｔｍ−Ｔ）］  ・・・（式２）
ここで、ａは経過時間Ｔとともに変化する変数、Ｗｆ（単位：ｋｇ）は初期体重である。
【００４６】
また、目標体重Ｗｉ（単位：ｋｇ）は、次式（３）により算出される。
Ｗｉ＝Ｗｂｍｉ＋Ｃ２・％ＦＡＴ＋Ｃ３・Ｗｍ  ・・・（式３）
ここで、Ｗｂｍｉは、初期生体情報から算出されるＢＭＩ（Ｂｏｄｙ  Ｍａｓｓ  Ｉｎｄｅｘ）指数から求めた理想体重、Ｃ２及びＣ３は所定の定数、％ＦＡＴは体脂肪率、Ｗｍは管理開始時に測定した生体インピーダンスから算出される筋肉量である。
【００４７】
初期ペースラインは、所定の幅をもって生成される。この幅Ｗｗ（単位：ｋｇ）は、以下の式４によって算出される。
Ｗｗ＝（Ｃ４・％ＦＡＴ／Ｃ５・Ｗｍ）・Ｗ  ・・・（式４）
ここで、Ｃ４、Ｃ５は所定の定数である。このように、ペースラインは所定の幅をもって生成されるので、使用者に対して過度の精神的な負担を強いることが無く、生体情報管理に対するモチベーションを低下させることがない。
【００４８】
また、管理期間Ｔｍは、次の式５によって決定される。
Ｔｍ＝｜Ｗｆ−Ｗｉ｜／Ｄ＊Ｂ  ・・・（式５）
ここで、Ｄは目標体重変化量、Ｂはペース係数である。このペース係数Ｂは、初期情報として入力する管理の目的に対応する定数であって、例えば、運動選手が短期間で減量を図る場合のペース係数Ｂは、無理なく時間をかけて減量する場合のペース係数Ｂよりも大きい値となる。
【００４９】
以上の式１乃至式５は、体重を減少（減量）する場合に用いられるが、体重以外の生体情報を減少させていく場合も同様に考えることができる。例えば、体脂肪率Ｆを減少させていく場合は、式１に代えて次の式６を用いる。
Ｆ＝Ｆｉ＋Ａ・Ｃ１・Ｔ  ・・・（式６）
ここで、Ｆ（単位：％）は管理期間中の体脂肪率（ペース体脂肪率）、Ｆｉ（単位：％）は目標体脂肪率（理想体脂肪率）、Ｃ１は体重管理係数と共通する体脂肪率係数である。式６では、所定の定数Ａを用いることによって、体重Ｗ、目標体重ＷｉをＦ、Ｆｉに置き換えるだけで、式１と同様の式とすることができる。
【００５０】
また、病後の体力回復過程のように、体重を増加させていく場合にあっては、例えば式１の符号を変更した次の式７を用いて初期ペースラインを生成することができる。
Ｗ＝Ｗｉ−Ｃ１・Ｔ  ・・・（式７）
このように符号を変更することによって、体重以外の生体情報を増加させていく場合にも対応することができる。
【００５１】
式１乃至式７は、初期ペースラインに関するものであるが、生体情報管理システム５０においては、管理開始後の所定の経過時間Ｔにおいて新たにペースライン（修正ペースライン）を生成することができる。すなわち、式２の初期体重Ｗｆを、管理開始後のある経過時間Ｔにおける体重Ｗｔに置き換えることによって、新たなペースライン（修正ペースライン）を生成することができる。これにより、体重が初期ペースラインの幅Ｗｗから外れてしまったとしても、急激に体重を増減させて無理に初期ペースラインにもどす必要がなく、生体情報の管理を安全に継続することができる。
【００５２】
この場合の管理期間Ｔｍは、式５の初期体重Ｗｆを体重Ｗｔに置き換えて算出してもよいが、初期ペースラインにおける管理期間Ｔｍからすでに経過した経過時間Ｔを減じた時間（Ｔｍ−Ｔ）を適用することもできる。これによれば、修正があったにもかかわらず、管理開始時に設定した管理時間内で管理を終了させることができるとともに、体重が初期ペースラインの幅Ｗｗから外れてしまったとしても、新たに生成した修正ペースラインに沿って管理することで、無理なく管理を継続することができる。
【００５３】
つづいて、図４を参照しつつ、体重管理を例に挙げて、管理開始からペースラインの修正までの流れについて説明する。ここで、図４は、初期生体情報の取得、初期ペースラインの生成、及び、修正ペースラインの生成についての流れを示すフローチャートである。
【００５４】
本発明による生体情報管理システム５０を稼働すると（ステップＳ１）、まず初期生体情報の取得を行う（ステップＳ２）。初期生体情報の取得は、操作部２２、フットスイッチ２３、及び／又はキーボード７１を用いて入力することにより、並びに、電極部材３０及びロードセル６０を用いた測定結果から算出することにより、行う。このようにして取得された初期生体情報は、インターネット網８０を介してサーバ９０に送られ、サーバメモリ９１に格納される。制御部９７は、初期生体情報に基づいて、演算回路９５に初期ペースラインを生成させる指示信号を出力して、この信号を受けた演算回路９５が作成した初期ペースラインは、サーバメモリ９１に記憶されると共に、インターネット網８０を介して外部機器７０に送られ、モニタ７２及び／又は表示部２１に表示し、メモリ７３及び／又は記憶部１４に記憶され（ステップＳ３）、管理期間が開始される。
【００５５】
その後、使用者は、管理期間中の任意の時間ごとに（例えば、１日１回）、生体情報の測定を行い、又は、生体情報を入力して、サーバ９０に送信する。これによりサーバ９０において経過生体情報を取得し、サーバメモリ９１に記憶させる（ステップＳ４）。制御部９７は、取得された経過生体情報に応じて、使用者ごとに適切な生体情報管理に関連した情報をサーバメモリ９１から抽出して外部機器７０に送信し、表示部２１、及び／又はモニタ７２に表示する。また、使用者のウエブサイトの閲覧状況を監視・分析して、その使用者が関心を持っている生体情報管理に関連した情報を見出して、閲覧情報に応じて生体情報管理に関連した情報や、関連するウエブサイトのリンク情報を、表示部２１、及び／又はモニタ７２に表示する。
【００５６】
制御部９７は、取得した経過生体情報のうちの体重が、目標値に到達したかどうかを判定する（ステップＳ６）。目標値に達していない場合（ステップＳ６でＮｏ）は、次のようにフィードバック処理を行う。
【００５７】
体重が初期ペースラインの幅の中に収まっているか否かを判定する（ステップＳ７）。初期ペースラインの幅の中に収まっている場合（ステップＳ７でＮｏ）は、初期ペースラインを維持して再び経過生体情報を取得する（ステップＳ４）。これに対して、体重が初期ペースラインの幅内に収まっていないペース異常の場合（ステップＳ７でＹｅｓ）は、制御部９７は、演算回路９５に対して、修正ペースラインを生成するように指示信号を出力する。この信号を受けた演算回路９５は、サーバメモリ９１にあらかじめ記憶されたプログラムにしたがって修正ペースラインを生成し、生成された修正ペースラインは、サーバメモリ９１に記憶されると共に、インターネット網８０を介して外部機器７０に送られ、モニタ７２及び／又は表示部２１に表示し、メモリ７３及び／又は記憶部１４に記憶される（ステップＳ８）。この後の管理は、生成された修正ペースラインに基づいて行われ、再び経過生体情報の取得が行われる（ステップＳ４）。
【００５８】
経過生体情報の取得（ステップＳ４）及び情報の提供（ステップＳ５）は、体重が目標値に達するまで繰り返し行われる。体重が目標値に達したことにより（ステップＳ６でＹｅｓ）、管理は終了する（ステップＳ９）。なお、以上に説明した管理開始からペースラインの修正までの流れは、生体測定装置１、外部機器７０、及びサーバ９０が常時接続されていることによって、使用者が生体情報を送信したときにリアルタイムに処理され、直ちに修正ペースラインや生体情報管理に関連した情報などがモニタ７２、表示部２１において表示されることが望ましい。
【００５９】
以上のように構成されたことから、上記実施形態によれば、次の効果（１）〜（６）を奏する。
（１）少なくとも初期ペースラインが提供されるため、生体情報の管理の指針を得ることができる。
【００６０】
（２）ペースラインは所定の幅Ｗｗをもって生成されるので、使用者に対して過度の精神的な負担を強いることが無く、生体情報管理に対するモチベーションを低下させることがない。また、使用者の経過生体情報を取得することによってフィードバック処理が行われ、管理対象の生体情報が初期ペースラインの幅Ｗｗから外れてしまったとしても、初期ペースラインを修正した修正ペースラインが生成される。この修正ペースラインは、初期ペースラインの幅から外れてしまった管理対象値を、徐々に目標値に近づけるようなペースラインであるため、急激に体重を増減させて無理に初期ペースラインにもどす必要がなく、これにより、生体情報の管理を安全に継続することができる。
【００６１】
（３）修正ペースラインは、初期ペースラインの管理期間満了時に目標値に達するように設定することができるため、初期ペースラインから外れてしまったにもかかわらず、予定の管理期間内に管理を終えることができる。
【００６２】
（４）表示部２１、モニタ７２上には、使用者ごとに適切な生体情報管理に関連した情報が表示されるため、使用者は、目標達成のための行動（例えば運動、食事）の具体的な指針を得ることができ、効果的な管理を実現することができる。
【００６３】
（５）表示部２１、モニタ７２上に表示される情報は、修正ペースラインが生成された場合は、修正後のペースラインに沿ったものとなるため、使用者は、初期ペースラインから外れたことを特別に意識することなく、無理のない生活を継続することができる。
【００６４】
（６）使用者のウエブサイトの閲覧状況を監視・分析して、その使用者が関心を持っている生体情報管理に関連した情報を見出し、閲覧情報に応じて生体情報管理に関連した情報や、関連するウエブサイトのリンク情報を提供できることから、使用者に対して、生体情報の管理への高い関心を持たせることができるとともに深い知識を与えることができる。
【００６５】
次に、本発明の第２実施形態に係る生体情報管理システム５０について、図５を参照しつつ詳しく説明する。図５は、第２実施形態に係る生体情報管理システムの構成を示すブロック図である。
【００６６】
本発明の第１実施形態に係る生体情報管理システム５０では、インターネット網８０を介して外部機器７０と外部のサーバ９０との通信を行って、サーバ９０の演算回路９５において、ペースライン（初期ペースライン、修正ペースライン）を生成し、使用者ごとに適切な生体情報管理に関する情報やウエブサイトのリンク情報が抽出され提供されるものであるが、これに対して、第２実施形態に係る生体情報管理システム５０は、サーバ９０において行っていた処理を、外部機器７０において行うものである。
【００６７】
第２実施形態に係る生体情報管理システム５０は、生体測定装置１と、外部機器７０と、を有する。なお、生体測定装置１については、第１実施形態に係るものと実質的に同一の機能及び同一の構成を有するものであるため、詳細な説明は省略する。また、生体測定装置１と外部機器７０との接続は、第１実施形態と同様である。
【００６８】
外部機器７０は、例えば本発明による生体情報管理の対象となる使用者（対象生体）が所有するパーソナルコンピュータであればよく、生体測定装置１の制御部１２に接続されたＣＰＵ７７、入力手段としてのキーボード７１、出力手段としてのモニタ７２、メモリ７３、及び演算回路７５を有する。キーボード７１、モニタ７２及びメモリ７３については、第１実施例に係るものと実質的に同一の機能及び同一の構成であるため、詳細な説明は省略する。
【００６９】
第２実施形態に係る生体情報管理システム５０は、第１実施形態におけるサーバ９０において行っていた処理を、外部機器７０において行うため、そのために必要なプログラムが外部機器７０のメモリ７３にインストールされている。これにより、第１実施形態におけるサーバメモリ９１に記憶される情報（生体情報、生体情報管理に関連した情報、使用者が閲覧したウエブサイトの履歴情報、ウエブサイトのリンク情報）が、外部機器７０のメモリ７３に記憶される。また、第１実施形態におけるサーバ９０の制御部９７による処理が、外部機器７０のＣＰＵ７７で行われるようにする。さらに、第１実施形態におけるサーバ９０の演算回路９５で行うペースライン（初期ペースライン、修正ペースライン）の生成が、外部機器７０の演算回路７５で行われる。
【００７０】
以上のように構成された第２実施形態に係る生体情報管理システム５０によれば、前記第１実施形態に係る生体情報管理システム５０と同様の効果を奏することができるが、さらに、本実施形態によれば、インターネット網８０を介して外部のサーバとアクセスすることなく、生体情報管理システムを利用することができ、利便性の向上が図ることができる。
【００７１】
次に、本発明の第３実施形態に係る生体情報管理システム５０について、図１及び図６を参照しつつ詳しく説明する。図６は、第３実施形態に係る生体情報管理システムの構成を示すブロック図である。
【００７２】
本発明の第３実施形態に係る生体情報管理システム５０は、第１実施形態におけるサーバ９０において行っていた処理を、生体情報管理装置１０において行うものである。
【００７３】
第３実施形態に係る生体情報管理システム５０は、前記第１実施形態における生体測定装置１自体に、演算回路１５が組み込まれており、全体として単一の筐体内に収容された生体情報管理装置１０として構成されている（図２参照）。
【００７４】
生体情報管理装置１０は、表示部２１、操作部２２、フットスイッチ２３、ロードセル６０、電極部材３０、及び演算回路１５を有している。なお、表示部２１、操作部２２、フットスイッチ２３、ロードセル６０、及び電極部材３０については第１実施形態に係るものと実質的に同一の機能及び同一の構成を有するものであるため、詳細な説明は省略する。
【００７５】
第３実施形態に係る生体情報管理システム５０は、第１実施形態におけるサーバ９０において行っていた処理を、生体情報管理装置１０において行うため、そのために必要なプログラムが生体情報管理装置１０の記憶部１４にインストールされている。これにより、サーバメモリ９１に記憶される情報（生体情報、生体情報管理に関連した情報）が、生体情報管理装置１０の記憶部１４に記憶される。また、第１実施形態におけるサーバ９０の制御部９７による処理が、生体情報管理装置１０の制御部１２で行われるようにする。さらに、第１実施形態におけるサーバ９０の演算回路９５で行うペースライン（初期ペースライン、修正ペースライン）の生成が、生体情報管理装置１０の演算回路１５で行われる。
【００７６】
以上のように構成された第３実施形態に係る生体情報管理システム５０によれば、前記第１実施形態に係る生体情報管理システム５０の効果（１）乃至（５）を同様に奏することができるが、さらに、本実施形態によれば、インターネット網８０を介して外部のサーバとアクセスすることなく、生体情報管理システム５０を利用することができ、しかも、生体情報管理装置１０として全体として単一の筐体内に収容されているため、さらなる利便性の向上を図ることができる。
【００７７】
本発明について上記実施形態を参照しつつ説明したが、本発明は上記実施形態に限定されるものではなく、改良の目的または本発明の思想の範囲内において改良または変更が可能である。
【図面の簡単な説明】
【００７８】
【図１】第１実施形態に係る生体情報管理システムの構成を示すブロック図である。
【図２】第１実施形態に係る生体情報管理システムに用いられる生体測定装置又は第３実施形態に係る生体情報管理システムの生体情報管理装置を示す外観斜視図である。
【図３】横軸に経過時間Ｔ、縦軸に体重Ｗをとった初期ペースラインを示すグラフである。
【図４】初期生体情報の取得、初期ペースラインの生成、及び、修正ペースラインの生成についての流れを示すフローチャートである。
【図５】第２実施形態に係る生体情報管理システムの構成を示すブロック図である。
【図６】第３実施形態に係る生体情報管理システムの構成を示すブロック図である。
【符号の説明】
【００７９】
１  生体測定装置
１０  生体情報管理装置
１２  制御部（制御回路）
１４  記憶部
１５  演算回路（初期ペースライン生成手段及び修正ペースライン生成手段）
２１  表示部
２２  操作部（初期生体情報取得手段及び経過生体情報取得手段）
２３  フットスイッチ（初期生体情報取得手段及び経過生体情報取得手段）
３０  電極部材
５０  生体情報管理システム
６０  ロードセル（体重測定部）（初期生体情報取得手段及び経過生体情報取得手段）
７０  外部機器
７１  キーボード（入力手段）（初期生体情報取得手段及び経過生体情報取得手段）
７２  モニタ（出力手段）
７３  メモリ
７４  モデム（接続手段）
７５  演算回路（初期ペースライン生成手段及び修正ペースライン生成手段）
７７  ＣＰＵ
９０  サーバ
９１  サーバメモリ
９５  演算回路（初期ペースライン生成手段及び修正ペースライン生成手段）
９７  制御部
【図１】
2008220818.tif 000003
【図２】
2008220818.tif 000004
【図３】
2008220818.tif 000005
【図４】
2008220818.tif 000006
【図５】
2008220818.tif 000007
【図６】
2008220818.tif 000008